(57)【要約】【課題】極性反転や極性復旧が発生しても、その発生タイミングが一定でなくても、一般からの呼出か、中央監視装置からの呼出かを、精度良く区別できることを目的とする。【解決手段】リンギング信号許可部９はリンギング検出部５の出力を、極性反転と極性復旧の発生時は信号が所定時間継続しないので後段への出力を許可しないが、１６Ｈｚ鳴動信号が到来している間は所定時間経過後に後段への出力を許可するようにして、簡易な回路構成を実現し、単純な回線電圧の変化があれば、リンギング呼出信号の所定周波数の鳴動信号として検出するようにした。【選択図】図１
2007142509.tif 000002
【特許請求の範囲】
【請求項１】
回線から送出されてくるリンギング呼出信号の所定周波数の鳴動信号を検出するリンギング検出部と、リンギング着信時の応答条件としてリンギング呼出信号最大継続時間が設定されている着信条件設定部と、前記リンギング検出部で検出された信号が所定時間以上継続を検出した場合に、後段への信号出力を許可するリンギング信号許可部と、前記リンギング検出部で検出されたリンギング呼出信号の所定周波数の鳴動信号を監視し、最初の所定周波数の鳴動信号検出からスタートするタイマーを備えたリンギング継続監視タイマー部と、前記リンギング検出部で検出されたリンギング呼出信号の所定周波数の鳴動信号を監視し、所定周波数の鳴動信号検出後未検出状態になるとスタートし、未検出状態が所定時間継続した場合、リンギング呼出停止と判定するリンギング停止検出タイマー部と、前記リンギング停止検出タイマー部がリンギング呼出停止と判定したタイミングで前記リンギング継続監視タイマー部のタイマー値と前記着信条件設定部に設定されているリンギング呼出信号最大継続時間を比較して応答条件が成立したかどうかを判定するリンギング着信判定部とを具備した回線端末装置。
【請求項２】
後段への信号出力を許可するリンギング許可部の所定時間を、リンギング呼出信号の鳴動信号１周期分の発生でリンギング検出部から出力される信号継続時間とした請求項１記載の回線端末装置。
【発明の詳細な説明】
【技術分野】
【０００１】
本発明は、ホームセキュリティ盤やガス遮断装置等のデータ端末装置の情報を公衆回線網を利用した通信により中央監視装置などに伝える回線端末装置に関するものである。
【背景技術】
【０００２】
従来この種の回線端末装置は、図５に示すようになっていた。すなわち、５１は中央監視装置、５２は交換局、５３は回路端末装置で、以下の構成からなる。すなわち、５４はリンギング停止検出タイマー部で、リンギング検出部５５で検出されたリンギング呼出信号の１６Ｈｚ鳴動信号を監視し、１６Ｈｚ鳴動信号検出後、未検出となった時にスタートし、未検出状態が所定時間継続した場合、リンギング呼出停止と判定する。
【０００３】
ここで、リンギング呼出停止と判定する未検出状態の所定時間は、呼出信号の１周期にあたる３秒とする。従って、一度、呼出の１６Ｈｚ鳴動信号を検出してからは、３秒間連続して１６Ｈｚ鳴動信号を検出しなかった場合に呼出が停止したと判定する。
【０００４】
５６は着信条件設定部で、予めリンギング着信時の応答条件としてリンギング呼出信号最大継続時間が設定されている。ここでは１回の呼出で発生する１６Ｈｚ鳴動信号の最大発生回数が２回に設定された場合、この設定回数に呼出信号の１周期である３秒を乗じた時間である６秒にリンギング停止検出タイマー部５４でリンギング呼出停止と判定する所定時間３秒が足されて９秒がリンギング呼出信号最大継続時間として設定されることになる。
【０００５】
５７はリンギング継続監視タイマー部で、リンギング検出部５５で検出されたリンギング呼出信号の１６Ｈｚ鳴動信号を監視し、呼出しの最初に１６Ｈｚ鳴動信号を検出するとスタートするタイマーを備えている。またこのリンギング継続監視タイマー部５７のタイマーはリンギング停止検出タイマー部５４がリンギング停止を検出するとタイマーをストップし、リンギング検出部５より新たにリンギング呼出信号の１６Ｈｚ鳴動信号を検出した時点からタイマーを再スタートする。
【０００６】
５８はリンギング着信判定部で、リンギング停止検出タイマー部５４がリンギング呼出停止と判定したタイミングでリンギング継続監視タイマー部７のタイマー値と着信条件設定部５６に設定されているリンギング呼出信号最大継続時間である９秒とを比較して条件が成立したかどうかを判定する。
【０００７】
５９は中央制御部、６０は網制御部、６１は送受信部、６２は端末インターフェース部、６３はリンギング着信応答部である。
【０００８】
また、６４は電話機、そして６５がデータ端末装置を示す（例えば、特許文献１参照）。
【特許文献１】特開２００５−１１７３８３号公報
【発明の開示】
【発明が解決しようとする課題】
【０００９】
しかしながら、前記従来のような構成では、リンギング検出部を安価に実現するために、簡易な回路構成となっていたため、単純な回線電圧の変化があれば、リンギング呼出信号の所定周波数の鳴動信号として検出するようになっていた。
【００１０】
従って、リンギング検出部は１６Ｈｚの鳴動信号が発生した時以外に、呼出開始時の極性反転や呼出停止時の極性復旧でも、回線電圧が急峻に変化するために擬似的にリンギング呼出信号を検出してしまう場合があった。
【００１１】
さらに、図６の中央監視装置からの呼出中の信号状態でその様子を説明する。
【００１２】
すなわち、中央監視装置５１が呼出を開始すると、交換局５２から極性反転発生、Ｔ１秒後に電話機鳴動信号１６Ｈｚ信号が３秒周期で１秒間重畳、休止時間２秒で送出される。また中央監視装置５１が呼出を停止すると、Ｔ２秒後に交換局５２からは極性復旧が発生する。
【００１３】
すると、極性反転と極性復旧でも、リンギング検出部５５では１６Ｈｚ鳴動信号が擬似的に検出される。この場合、最初の極性反転発生により検出した擬似的な１６Ｈｚ鳴動信号によりリンギング継続監視タイマー部５７がスタートし、極性復旧発生により検出した擬似的な１６Ｈｚ鳴動信号でも、リンギング停止検出タイマー部５４が再スタートすることになる。
【００１４】
この極性反転が発生してからの１６ＨＺ鳴動信号が発生するまでの時間Ｔ１や、中央監視装置５１からの呼出停止から極性復旧が発生する時間Ｔ２には特に規定がないため、通信事業者や図５のようにＩＳＤＮ回線６６に接続される場合はターミナルアダプタ６７の機種によっては、Ｔ１やＴ２の時間差があった。
【００１５】
そして、中央監視装置５１からの呼出時間を固定にしているにもかかわらず、極性反転が発生してからの１６ＨＺ鳴動信号の発生するまでの時間Ｔ１や、中央監視装置５１からの呼出停止から極性復旧が発生する時間Ｔ２あるいは１６ＨＺ鳴動信号が停止してから極性復旧が発生するまでの時間Ｔ３は、通信事業者やターミナルアダプタの違いにより一定になってなかった。
【００１６】
そのため、回線端末装置５３で判定に使用する着信条件設定部５６のリンギング呼出信号最大継続時間をＴ１＋Ｔ３時間分伸ばす必要があり、判定値を甘くする必要があった。
【００１７】
従って、中央監視装置５１からの呼出と一般の呼出との区別がつきにくくなるという課題を有していた。
【００１８】
本発明は、前記従来の課題を解決するもので、極性反転や極性復旧の発生や発生タイミングの違いがあっても、中央監視装置からの呼出と一般からの呼出との区別ができる回線端末装置を提供することを目的とする。
【課題を解決するための手段】
【００１９】
前記従来の課題を解決するために、本発明の回線端末装置は、回線から送出されてくるリンギング呼出信号の所定周波数の鳴動信号を検出するリンギング検出部と、リンギング着信時の応答条件としてリンギング呼出信号最大継続時間が設定されている着信条件設定部と、リンギング検出部で検出された信号が所定時間以上継続を検出した場合に後段への信号出力を許可するリンギング信号許可部と、リンギング検出部で検出されたリンギング呼出信号の所定周波数の鳴動信号を監視し、最初の所定周波数の鳴動信号検出からスタートするタイマーを備えたリンギング継続監視タイマー部と、リンギング検出部で検出され
たリンギング呼出信号の所定周波数の鳴動信号を監視し、所定周波数の鳴動信号検出後未検出状態になるとスタートし、未検出状態が所定時間継続した場合、リンギング呼出停止と判定するリンギング停止検出タイマー部と、リンギング停止検出タイマー部がリンギング呼出停止と判定したタイミングでリンギング継続監視タイマー部のタイマー値と前記着信条件設定部に設定されているリンギング呼出信号最大継続時間を比較して応答条件が成立したかどうかを判定するリンギング着信判定部としたものである。
【００２０】
これによって、極性反転により検出する疑似リンギング呼出信号は無効となり、回線から送出されるリンギング呼出信号の所定周波数の鳴動信号をリンギング検出部で検出すると、リンギング継続監視タイマー部のタイマーがスタートする。
【００２１】
一方、所定周波数の鳴動信号が検出状態から未検出状態になるとリンギング停止検出タイマー部のタイマーもスタートし、未検出状態が所定時間継続した場合、リンギング呼出停止と判定するので、呼出終了時の極性復旧により検出する疑似リンギング呼出信号は無効となり、リンギング着信判定部ではリンギング呼出信号の所定周波数の鳴動信号により停止と判定したタイミングで、リンギング継続監視タイマー部のタイマー値と着信条件設定部に設定されているリンギング呼出信号最大継続時間を比較して条件が成立したかどうかを判定する。
【００２２】
従って、所定周波数の鳴動信号のみをリンギング着信判定部で監視でき、極性反転や極性復旧、その発生タイミングが一定でない場合でも、極性反転発生や極性復旧発生の影響を受けることはないので、特定の事業者からの呼出であるか一般の呼出であるかの判定を正確に行うことが可能となる。
【発明の効果】
【００２３】
本発明の回線端末装置によれば、リンギング信号許可部がリンギング検出部で検出された信号が所定時間以上継続を検出した場合に後段への信号出力を許可するので、１６Ｈｚ鳴動信号の発生を起点として、呼出の停止を１６Ｈｚ鳴動信号が所定時間連続して検出しなくなるまでの時間を計測することで、極性反転発生や極性復旧発生までを含めた時間を計時することはなく、中央監視装置からの呼出であるか一般の呼出であるかの判定を正確に行うことが可能となる。
【発明を実施するための最良の形態】
【００２４】
第１の発明は、回線から送出されてくるリンギング呼出信号の所定周波数の鳴動信号を検出するリンギング検出部と、リンギング着信時の応答条件としてリンギング呼出信号最大継続時間が設定されている着信条件設定部と、リンギング検出部で検出された信号が所定時間以上継続を検出した場合に後段への信号出力を許可するリンギング信号許可部と、リンギング検出部で検出されたリンギング呼出信号の所定周波数の鳴動信号を監視し、最初の所定周波数の鳴動信号検出からスタートするタイマーを備えたリンギング継続監視タイマー部と、リンギング検出部で検出されたリンギング呼出信号の所定周波数の鳴動信号を監視し、所定周波数の鳴動信号検出後未検出状態になるとスタートし、未検出状態が所定時間継続した場合、リンギング呼出停止と判定するリンギング停止検出タイマー部と、リンギング停止検出タイマー部がリンギング呼出停止と判定したタイミングでリンギング継続監視タイマー部のタイマー値と前記着信条件設定部に設定されているリンギング呼出信号最大継続時間を比較して応答条件が成立したかどうかを判定するリンギング着信判定部とすることにより、リンギング信号許可部が、リンギング検出部で検出された信号が所定時間以上継続を検出した場合に後段への信号出力を許可するので、リンギング検出部で検出された信号が所定時間継続しない極性反転発生ではリンギング継続監視タイマー部のタイマーがスタートすることはなく、回線から送出されるリンギング呼出信号の所定周波数の鳴動信号をリンギング検出部で検出すると、リンギング継続監視タイマー部のタイマ
ーがスタートする。
【００２５】
また、所定周波数の鳴動信号が検出状態から未検出状態になるとリンギング停止検出タイマー部のタイマーもスタートし、未検出状態が所定時間継続した場合、リンギング呼出停止と判定する。リンギング着信判定部ではリンギング呼出停止と判定したタイミングでリンギング継続監視タイマー部のタイマー値と着信条件設定部に設定されているリンギング呼出信号最大継続時間を比較して条件が成立したかどうかを判定する。
【００２６】
従って、リンギング着信判定部では、所定周波数の鳴動信号の発生を起点として、呼出の停止を所定周波数の鳴動信号が所定時間連続して検出しなくなるまでの時間を計測することができ、中央監視装置からの呼出であるか一般の呼出であるかの判定を正確に行うことが可能となる。
【００２７】
第２の発明は、特に、第１の発明の回線端末装置の後段への信号出力を許可するリンギング許可部の所定時間を、リンギング呼出信号の鳴動信号１周期分の発生でリンギング検出部から出力される信号継続時間とすることにより、所定周波数の呼出信号の鳴動信号が１周期分発生した時間に対応したリンギング検出部から出力される信号継続時間を、リンギング許可部の所定時間とし、後段への信号出力を許可するので、極性反転や極性復旧による単一方向の電圧変化により擬似的に発生するリンギング呼出信号を確実に無効とし、周期的な電圧変化により発生する鳴動信号のみを有効とすることができる。
【００２８】
以下、本発明の実施の形態について図面を参照しながら説明する。
【００２９】
（実施の形態１）
この実施の形態１の説明では、リンギング呼出信号の所定周波数の鳴動信号を１６Ｈｚ鳴動信号として説明する。また中央監視装置からは呼出時に１回の呼出での１６Ｈｚ鳴動信号の最大発生回数を２回、そしてこの呼出を連続して３回行うこととする。
【００３０】
図１において、１は中央監視装置、２は交換局、３は回路端末装置で、以下の構成からなる。すなわち、４はリンギング停止検出タイマー部で、リンギング検出部５で検出されたリンギング呼出信号の１６Ｈｚ鳴動信号を監視し、１６Ｈｚ鳴動信号検出後、未検出となった時にスタートし、未検出状態が所定時間継続した場合、リンギング呼出停止と判定する。
【００３１】
ここで、リンギング呼出停止と判定する未検出状態の所定時間は、呼出信号の１周期にあたる３秒とする。従って、一度、呼出の１６Ｈｚ鳴動信号を検出してからは、３秒間連続して１６Ｈｚ鳴動信号を検出しなかった場合に呼出が停止したと判定する。
【００３２】
６は着信条件設定部で、予めリンギング着信時の応答条件としてリンギング呼出信号最大継続時間が設定されている。ここでは１回の呼出で発生する１６Ｈｚ鳴動信号の最大発生回数が２回に設定された場合、この設定回数に呼出信号の１周期である３秒を乗じた時間である６秒にリンギング停止検出タイマー部４でリンギング呼出停止と判定する所定時間３秒が足されて９秒がリンギング呼出信号最大継続時間として設定されることになる。
【００３３】
７はリンギング継続監視タイマー部で、リンギング検出部５で検出されたリンギング呼出信号の１６Ｈｚ鳴動信号を監視し、呼出しの最初に１６Ｈｚ鳴動信号を検出するとスタートするタイマーを備えている。またこのリンギング継続監視タイマー部７のタイマーはリンギング停止検出タイマー部４がリンギング停止を検出するとタイマーをストップし、リンギング検出部５より新たにリンギング呼出信号の１６Ｈｚ鳴動信号を検出した時点からタイマーを再スタートする。
【００３４】
８はリンギング着信判定部で、リンギング停止検出タイマー部４がリンギング呼出停止と判定したタイミングでリンギング継続監視タイマー部７のタイマー値と着信条件設定部６に設定されているリンギング呼出信号最大継続時間である９秒とを比較して条件が成立したかどうかを判定する。
【００３５】
９はリンギング信号許可部で、リンギング検出部５で検出された信号が所定時間以上継続を検出した場合に、後段への信号出力を許可するように信号制御する。
【００３６】
ここでは、周期性のない一過性の電圧変化である極性反転や極性復旧と区別できるように、呼出信号となる１６ＨＺ鳴動信号が１周期分発生した時間に対応してリンギング検出部５から出力される信号継続時間をリンギング信号許可部９の所定時間とし、後段への信号出力を許可するように信号制御する。
【００３７】
１０は中央制御部、１１は網制御部、１２は送受信部、１３は端末インターフェース部、１４はリンギング着信応答部である。
【００３８】
また、１５は電話機、１６はデータ端末装置を示す。
【００３９】
以上のように構成された回線端末装置３において以下その動作、作用を説明する。
【００４０】
図２は一般からの呼出時のリンギング呼出信号到来状態を示し、７．５秒間呼出をしたケースを示す。この図のように公衆回線１７には呼出開始時に極性反転発生Ｔ１秒後、３秒周期で１秒間１６Ｈｚ鳴動信号が重畳されて呼出が行われ、呼出停止するとＴ２秒後、極性復旧が発生する。
【００４１】
すると、リンギング信号許可部９は、リンギング検出部５の出力を、極性反転と極性復旧の発生による場合は、このリンギング検出部５の出力信号が所定時間継続しないので後段へ出力許可しないが、１６Ｈｚ鳴動信号が到来している間は、所定時間経過後に後段への出力を許可する。
【００４２】
そのためリンギング継続監視タイマー部７は、極性反転ではスタートしないで、最初の１６Ｈｚ鳴動信号の先頭からスタートする。１秒経過し１６Ｈｚ鳴動信号が一旦停止すると、直後からリンギング停止検出タイマー部４もスタートする。そして、最初の１６Ｈｚ鳴動信号に続いて、２秒後には２つ目の１６Ｈｚ鳴動信号がやってくる。
【００４３】
すると、リンギング停止検出タイマー部４は一旦ストップする。１秒経過し１６Ｈｚ鳴動信号が一旦停止すると、直後からリンギング停止検出タイマー部４が再スタートすることが繰り返される。３つ目の１６Ｈｚ鳴動信号がやってきた後、１秒経過し１６Ｈｚ鳴動信号が一旦停止すると、直後からリンギング停止検出タイマー部４が再スタートする。
【００４４】
この後、呼出が停止されると極性復旧には影響を受けず、リンギング停止検出タイマー部４は３秒経過して、呼出停止を検出する。この時、リンギング継続監視タイマー部７のタイマー値は１０秒になっている。
【００４５】
リンギング着信判定部８では、リンギング停止検出タイマー部４がリンギング呼出停止と判定したタイミングで、リンギング継続監視タイマー部７のタイマー値１０秒と着信条件設定部６に設定されているリンギング呼出信号最大継続時間９秒とを比較する。
【００４６】
この場合、リンギング呼出信号最大継続時間９秒を超えているため、中央監視装置１か
らの呼出ではないと、極性反転や極性復旧の発生タイミングにかかわらず、無効判定できる。
【００４７】
次に、図３は中央監視装置１から呼出が行われた場合のリンギング呼出信号到来時の信号状態を示す。
【００４８】
この図も公衆回線１７には呼出開始時に極性反転発生Ｔ４秒後、３秒周期で１秒間１６Ｈｚ鳴動信号が重畳されて呼出が行われ、呼出停止時にＴ５秒後極性復旧が発生する。
【００４９】
従って、リンギング信号許可部９は、リンギング検出部５の出力を極性反転と極性復旧の発生による場合は信号が所定時間継続しないので後段へ出力させないが、１６Ｈｚ鳴動信号が到来している間は所定時間経過後に後段への出力を許可して、リンギング信号検出状態を３秒周期で約１秒間出力する。
【００５０】
なお、呼出周期が３秒で１６Ｈｚ鳴動信号が１回発生するので、中央監視装置１からは呼出を５秒間行うことことで、１６Ｈｚ鳴動信号の発生回数を１回ないし２回となるように呼出を行う。
【００５１】
ここでも、リンギング継続監視タイマー部７のタイマーは、極性反転ではスタートしないで、最初の１６Ｈｚ鳴動信号の先頭からスタートする。１秒経過し１６Ｈｚ鳴動信号が一旦停止すると、直後からリンギング停止検出タイマー部４がスタートする。２つ目の１６Ｈｚ鳴動信号が送出された後、呼出が停止される。呼出が停止されると極性復旧には影響を受けず、リンギング停止検出タイマー部４のタイマーは２つ目の１６Ｈｚ鳴動信号を検出後、未検出になってから３秒経過して、呼出停止を検出する。
【００５２】
この時、リンギング継続監視タイマー部７のタイマー値は７秒になる。リンギング着信判定部８では、リンギング停止検出タイマー部４がリンギング呼出停止と判定したタイミングでリンギング継続監視タイマー部７のタイマー値７秒と着信条件設定部６に設定されているリンギング呼出信号最大継続時間９秒を比較する。
【００５３】
この場合、リンギング呼出信号最大継続時間９秒を超えてないため、中央監視装置１からの呼出であると有効判定し、極性反転や極性復旧やそのの発生タイミングにかかわらず、ガス事業者からの呼出を特定することができる。
【００５４】
また、公衆回線１７がＩＳＤＮ回線でターミナルアダプタのアナログポート経由で接続された場合でも、同様に判定が可能である。
【産業上の利用可能性】
【００５５】
以上のように、本発明にかかる回線端末装置によれば、極性反転や極性復旧発生タイミングに左右されず、１６Ｈｚ鳴動信号の監視ができ、中央監視装置からの呼出であるか一般の呼出であるかの判定を精度良く行うことができるので、ホームセキュリティ盤やガス遮断装置等のデータ端末装置の情報を収集する回線端末装置だけでなく、ガスや水道や電力の検針用通信装置や、緊急コール、家屋への侵入検知、家屋、ビルに設置した火災やガス漏れなどの検知機器からの情報、若しくはその設備、機器、家電製品等の異常状態や動作状態又は病人、独居老人等の容態、様子等の情報を公衆回線網を介して通報先に伝える回線端末装置に幅広く適用できる。
【図面の簡単な説明】
【００５６】
【図１】本発明の実施の形態１における回線端末装置のブロック構成図
【図２】同回線端末装置の一般からの呼出時のリンギング呼出信号到来状態図
【図３】同回線端末装置の中央監視装置からのリンギング呼出信号到来状態図
【図４】従来の回線端末装置のブロック構成図
【図５】従来の回線端末装置における回線端末装置の中央監視装置からのリンギング呼出信号到来状態図
【図６】回線端末装置のＩＳＤＮ回線への接続図
【符号の説明】
【００５７】
３  回線端末装置
４  リンギング停止検出タイマー部
５  リンギング検出部
６  着信条件設定部
７  リンギング継続監視タイマー部
８  リンギング着信判定部
９  リンギング信号許可部
１４  リンギング着信応答部
１６  データ端末装置
１７  公衆回線（回線）
【図１】
2007142509.tif 000003
【図２】
2007142509.tif 000004
【図３】
2007142509.tif 000005
【図４】
2007142509.tif 000006
【図５】
2007142509.tif 000007
【図６】
2007142509.tif 000008